(57)【特許請求の範囲】
【請求項１】
電流源回路と電圧源回路とを備える試験装置を用いて遮断性能を検証するための直流遮断器の試験方法であって、
前記直流遮断器に、前記電流源回路または前記電流源回路と前記電圧源回路を組合わせた回路から交流の電流を供給し、
前記電流が直流系統の系統事故による事故電流相当となった時点で、前記直流遮断器により前記電流を遮断し、
前記電流源回路から交流の電流を供給する場合には、前記遮断以前に、前記電圧源回路を前記直流遮断器に接続することにより前記直流遮断器に電圧を印加し、前記遮断と当時に前記電圧源回路から回復電圧を印加し、
前記電流源回路と前記電圧源回路を組み合わせた回路から交流の電流を供給する場合には、前記遮断と同時に、前記電圧源回路を前記直流遮断器に接続することにより前記直流遮断器に電圧を印加し、前記遮断と同時に前記電圧源回路から回復電圧を印加すること、
を特徴とする直流遮断器の試験方法。
【請求項２】
前記電流源回路は、前記直流遮断器に事故電流相当未満の交流電流を供給し、
前記電圧源回路は、前記直流遮断器の前記遮断前に前記直流遮断器に接続することにより、前記電圧源回路からの電流を前記電流源回路の電流に重畳させて、前記事故電流相当の電流とするとともに、前記直流遮断器に電圧を印加すること、
を特徴とする請求項１に記載の直流遮断器の試験方法。
【請求項３】
前記電圧源回路は、電圧源となるコンデンサを有し、
前記電圧源回路の前記直流遮断器への接続は、前記遮断の直前であること、
を特徴とする請求項２に記載の直流遮断器の試験方法。
【請求項４】
前記試験装置は、交流遮断器の合成試験法に用いられる試験装置であること、
を特徴とする請求項１又は２に記載の直流遮断器の試験方法。
【請求項５】
前記直流遮断器は、電流を遮断する遮断部を有し、
前記電圧源回路からの回復電圧の印加において、その過電圧が前記直流遮断器の遮断部に並列に設けられたサージアブソーバに吸収されること、
を特徴とする請求項１〜４の何れかに記載の直流遮断器の試験方法。
【発明の詳細な説明】
【技術分野】
【０００１】
本発明の実施形態は、直流遮断器の遮断性能を検証するための試験方法に関する。
【背景技術】
【０００２】
交流電力系統の落雷等による短絡事故からの系統保護を行うため、大容量の交流遮断器が用いられている。この交流遮断器の遮断試験法には、合成試験法と呼ばれる試験法が知られている（例えば、非特許文献１参照。）。この合成試験法は、試験対象となる交流遮断器に対して、事故電流相当の短絡電流を供給する電流源回路と、高周波電流を供給し回復電圧を印加するための電圧源回路とが、それぞれ並列に接続される試験装置を用いて行われる。
【０００３】
具体的には、次の（１）〜（４）の手順で交流遮断器の遮断試験を行う。
（１）電流源回路から事故電流相当の交流の短絡電流を交流遮断器に供給する。
（２）当該短絡電流の最終零値直前で電圧源回路から高周波電流を供給して、電流源回路及び電圧源回路の２回路から重畳電流を交流遮断器に流す。
（３）電流源回路を、短絡電流が最終零値となる時点で交流遮断器から遮断する。
（４）その後、高周波電流を交流遮断器により遮断し、当該交流遮断器の端子間に回復電圧を生じさせる。
【０００４】
ところで、直流系統の短絡事故から系統保護を行うため、直流遮断器が用いられている。直流遮断器は、短絡等による事故電流を遮断する。このような系統保護を確実に行うため、直流遮断器には、用いられる直流系統に応じて所定の遮断性能が要求される。
【０００５】
直流遮断器の遮断試験方法として、交流の短絡発電機からの短絡事故電流を整流器にて直流電流に整流させて、直流系統事故を模擬した短絡時の事故電流を供給する方法がある。
【先行技術文献】
【非特許文献】
【０００６】
【非特許文献１】電気学会  電気規格調査会標準規格  交流遮断器  JEC-2300-1998
【発明の概要】
【発明が解決しようとする課題】
【０００７】
しかし、近年、直流遮断器の大容量化が進んでいる。そのため、従来の整流器を用いた試験方法では、大容量の整流器を設ける必要があり、試験設備の大型化や設備導入に莫大な投資を要するという問題がある。さらに、大容量の整流器を用いた試験方法では試験効率に問題がある。そのため、従来の整流器を用いた試験方法を採用することは困難であり、別の試験方法が求められる。
【０００８】
この点につき、交流遮断器の合成試験法に用いる試験装置を、直流遮断器の遮断性能試験に用いることが考えられる。しかし、この場合には、上記のような手順で遮断性能試験をすることはできない。すなわち、上記の合成試験法では、直流遮断器に、直流系統の事故に相当する電流、電圧の両方を与えることができず、直流遮断器の遮断性能を検証することはできない。
【０００９】
本発明の実施形態に係る直流遮断器の試験方法は、上記のような課題を解決するためになされたものであり、直流遮断器の遮断性能を検証する直流遮断器の試験方法を提供することを目的とする。
【課題を解決するための手段】
【００１０】
上記の目的を達成するために、本実施形態の直流遮断器の試験方法は、電流源回路と電圧源回路とを備える試験装置を用いて遮断性能を検証するための直流遮断器の試験方法であって、
前記直流遮断器に、前記電流源回路または前記電流源回路と前記電圧源回路を組合わせた回路から交流の電流を供給し、
前記電流が直流系統の系統事故による事故電流相当となった時点で、前記直流遮断器により前記電流を遮断し、
前記電流源回路から交流の電流を供給する場合には、前記遮断以前に、前記電圧源回路を前記直流遮断器に接続することにより前記直流遮断器に電圧を印加し、前記遮断と当時に前記電圧源回路から回復電圧を印加し、
前記電流源回路と前記電圧源回路を組み合わせた回路から交流の電流を供給する場合には、前記遮断と同時に、前記電圧源回路を前記直流遮断器に接続することにより前記直流遮断器に電圧を印加し、前記遮断と同時に前記電圧源回路から回復電圧を印加すること、を特徴とする。
【図面の簡単な説明】
【００１２】
【図１】第１の実施形態に係る直流遮断器の試験装置の構成を示す回路図である。
【図２】第１の試験方法の短絡電流遮断を行う過程における電流波形図である。
【図３】第１の試験方法の短絡電流遮断を行う過程における電圧波形図である。
【図４】第２の試験方法に用いる直流遮断器の試験装置の構成を示す回路図である。
【図５】第２の試験方法の短絡電流遮断を行う過程における電流波形図である。
【図６】第２の試験方法の短絡電流遮断を行う過程における電圧波形図である。
【発明を実施するための形態】
【００１３】
［１．第１の実施形態］
［１−１．全体構成］
以下では、図１〜図３を参照しつつ、本実施形態に係る直流遮断器の試験方法とその試験方法に用いる試験装置について説明する。図１は、本実施形態に係る直流遮断器の試験装置の構成を示す回路図である。
【００１４】
直流遮断器の試験装置は、試験対象となる直流遮断器１の直流電流の遮断性能を試験する装置である。本実施形態に係る直流遮断器の試験装置は、従来の交流遮断器の遮断試験に用いられる合成試験回路と同様の構造を有する。すなわち、本実施形態では、合成試験回路に設置される交流遮断器を直流遮断器に置き換えて当該合成試験回路を使用して、直流遮断器の遮断性能を検証する。具体的には、本試験装置は、直流系統の故障発生を模擬するため、後述する２つの電源回路を備える。直流系統としては、例えば、長距離送電や電力会社間などの直流送電系統や、ビルや大型商業施設などの直流配電、電気鉄道等の直流系統などが挙げられる。
【００１５】
直流遮断器１は、直流遮断器１内を流れる直流電流を遮断する遮断器である。直流遮断器１は、遮断部１０１と、エネルギー吸収部１０２とを備える。遮断部１０１とエネルギー吸収部１０２とは並列に設けられる。
【００１６】
遮断器１０１は、回路を流れる電流の遮断／投入を行うスイッチである。遮断部１０１としては、半導体を用いた半導体遮断部を含み構成される。この遮断部１０１には、半導体遮断部の他、機械的に遮断／投入を行う機械式の遮断部を含んでいても良い。
【００１７】
エネルギー吸収部１０２は、所謂サージアブソーバ（以下、サージアブソーバ１０２ともいう）である。サージアブソーバ１０２は、サージアブソーバ１０２に印加される過渡的な高電圧のエネルギーの吸収を行う。サージアブソーバ１０２は、遮断部１０１遮断後の電圧の大きさを制限する。
【００１８】
直流遮断器１には、２つの異なる電源回路が並列に接続される。すなわち、本実施形態に係る試験装置は、直流遮断器１に対し、交流の電流を供給する電流源回路Ａと、直流遮断器１に対し、回復電圧を印加する電圧源回路Ｂとを備え、これらの回路Ａ、Ｂが直流遮断器１に対して並列に接続される。
【００１９】
［１−２．詳細構成］
（電流源回路）
電流源回路Ａは、直流遮断器１に対して、交流の電流を供給する。電流源回路Ａは、短絡発電機２、保護遮断器３、投入スイッチ４、リアクトル５、抵抗６、コンデンサ７、及び補助遮断器８を含み構成される。
【００２０】
短絡発電機２は、短絡電流を発生させる発電機である。短絡発電機２から発生される短絡電流は交流の電流である。短絡発電機２で発生した短絡電流は、リアクトル５を介して直流遮断器１に対して出力される。
【００２１】
短絡発電機２と直流遮断器１との間には、保護遮断器３と投入スイッチ４とが設けられている。投入スイッチ４は、短絡発電機２を試験回路に接続するための開閉器であり、直流遮断器１に対する短絡発電機２の接続と遮断を切り替える。保護遮断器３は、電流源回路Ａを流れる交流の短絡電流の遮断を行う遮断器である。保護遮断器３は、この交流の短絡電流の電流零点で遮断を行う。
【００２２】
さらに電流源回路Ａには、補助遮断器８と、サージ吸収部４１とが設けられている。補助遮断器８は、短絡発電機２と接続されており、試験対象である直流遮断器１と短絡発電機２との接続と遮断を切り替える。補助遮断器８は、例えば機械式の遮断器である。補助遮断器８は、電流源回路Ａにおいて、各機器のうち最も直流遮断器１側に設けられている。補助遮断器８が投入状態にあるときは、直流遮断器１に短絡発電機２から電流を供給可能であり、補助遮断器８が遮断状態にあるときは、電流源回路Ａが直流遮断器１から切り離されており、短絡発電機２から電流は直流遮断器１に供給されない。
【００２３】
サージ吸収部４１は、補助遮断器８と接続されており、補助遮断器８で遮断された際に発生するサージを吸収する。サージ吸収部４１は、前述の抵抗６とコンデンサ７とが直列接続されてなり、コンデンサ７が抵抗６を介してサージを吸収し、補助遮断器８による遮断をしやすくする。
【００２４】
（電圧源回路）
電圧源回路Ｂは、直流遮断器１に対して回復電圧を印加する。電圧源回路Ｂは、電圧源コンデンサ１０、充電装置９、始動スイッチ１１、リアクトル１２、抵抗１３及びコンデンサ１４を含み構成される。
【００２５】
電圧源コンデンサ１０は、電圧源回路Ｂの電圧源となる直流コンデンサである。電圧源コンデンサ１０は、始動スイッチ１１が投入状態である場合に、リアクトル１２を介して直流遮断器１に対して回復電圧を印加する。電圧源コンデンサ１０は、直流遮断器１が設けられる直流系統事故時の短絡電流の一部を供給する容量を有する。また、回復電圧は、他のコンデンサを過渡回復電圧の調整用として併用しても良い。
【００２６】
充電装置９は、電圧源コンデンサ１０と並列接続され、電圧源コンデンサ１０を充電する装置である。始動スイッチ１１は、電圧源コンデンサ１０からの電圧印加のオンとオフを切り替える機器である。
【００２７】
電圧源回路Ｂは、電圧源コンデンサ１０を直流電圧源として、過渡振動回路（ＬＣＲ回路）を備える。すなわち、電圧源コンデンサ１０に対して、リアクトル１２、抵抗１３及びコンデンサ１４が直列に接続されており、過渡振動回路を構成する。この過渡振動回路は、過渡現象を発生させて直流遮断器１に印加する電圧を調整する。このため、電圧源回路Ｂが直流遮断器１に印加する回復電圧は、高周波電圧である。
【００２８】
コンデンサ１４は、電圧源コンデンサ１０が供給する電圧を調整する電圧調整用コンデンサである。ここでは、コンデンサ１４は、電圧源コンデンサ１０と併用して直流系統事故時に直流遮断器１に印加される電圧を調整するコンデンサである。
【００２９】
［１−３．試験方法］
本実施形態の試験方法は、半導体遮断器を含む直流遮断器の、直流系統の短絡事故電流の遮断性能を検証するための方法であり、(1)遮断瞬時の遮断性能を検証するための第１の試験方法と、(2)遮断後の遮断性能を検証するための第２の試験方法を分けて行う。遮断瞬時の遮断性能の試験方法を図２及び図３を用いて説明する。図２は、第１の試験方法の短絡電流遮断を行う過程における電流波形図である。図３は、第１の試験方法の短絡電流遮断を行う過程における電圧波形図である。
【００３０】
(1)遮断瞬時の遮断性能を検証するための第１の試験方法
試験開始時には、直流遮断器１が試験装置に接続され、保護遮断器３及び補助遮断器８は閉路状態、投入スイッチ４及び始動スイッチ１１は開路状態、短絡発電機２は予め所定の電圧での励磁状態、電圧源コンデンサ１０は充電装置９によって予め所定の電圧まで充電された状態にあるとする。
【００３１】
まず、図３に示すように、時刻Ａにおいて投入スイッチ４を閉路し、短絡発電機２から直流遮断器１の遮断部１０１に交流電流を供給する。この交流電流は、時刻Ａにおいては０Ａであり、その後上昇する。この交流電流は、リアクトル５によりその大きさが調整されている。
【００３２】
次に、時刻Ｂにおいて、始動スイッチ１１を投入する。この投入タイミングは、短絡発電機２により供給される交流電流が波高値となる前とする。すなわち、交流電流の１／４周期までとすれば良い。本実施形態では、始動スイッチ１１が投入されるまでに遮断部１０１に供給される電流は、直流系統の系統事故による事故電流未満の電流である。
【００３３】
この始動スイッチ１１の投入タイミングは、直流遮断器１の遮断部１０１による電流遮断以前に行えば良く、当該電流遮断と同時又はその直前を含む。本実施形態では、始動スイッチ１１の投入タイミングは、当該電流遮断よりも前である。
【００３４】
始動スイッチ１１を投入すると、電圧源コンデンサ１０とリアクトル１２によって決まる周波数の交流電流が遮断部１０１に供給される。すなわち、始動スイッチ１１の投入により電圧源回路Ｂが直流遮断器に接続され、短絡発電機２からの交流電流に電圧源回路Ｂからの交流電流が重畳される。この重畳された電流１５は、図２に示すように、遮断部１０１に供給されて上昇していく。また、時刻Ｂで始動スイッチ１１が投入されたことで、電圧源回路Ｂが直流遮断器１に接続され、これによって直流遮断器１に電圧が印加される。電圧源回路Ｂの主電源が電圧源コンデンサ１０であるため、図３に示すように、電圧源コンデンサ１０の電圧はその放電により下降していく。
【００３５】
重畳された電流１５となった後、当該電流１５が事故電流相当以上となる時刻Ｃで、遮断部１０１及び補助遮断器８を開路して電流裁断し、電流１５を遮断する。本実施形態では、事故電流相当の電流に達した時点で電流１５を遮断する。
【００３６】
この遮断により、直流遮断器１の遮断部１０１間には、電圧源回路Ｂからの過渡回復電圧１７が印加されるとともに、サージアブソーバ１０２が過電圧を吸収し、図２に示すように、電圧源コンデンサ１０から供給される電流はサージアブソーバ電流１６となって当該サージアブソーバ１０２に流れる。時刻Ｃにおける電圧源コンデンサ１０の電圧は、直流系統の事故による電流遮断時に直流遮断器１に印加される電圧相当の電圧又はそれ以上である。
【００３７】
以上のように、直流遮断器１に事故電流相当未満の電流を供給する段階であって、電流遮断よりも前に、電圧源回路Ｂを直流遮断器１に接続することにより、直流遮断器１に対し、電流供給と電圧印加の両方を行うようにした。これにより、電流遮断時において、直流遮断器１に、直流系統の事故による事故電流相当の電流と、当該事故に伴い印加される相当の電圧である所定の回復電圧とを与えることができるので、直流遮断器１の遮断時における遮断性能を検証することができる。
【００３８】
［第１の試験方法の変形例］
（１）上記の第１の試験方法では、始動スイッチ１１の投入タイミングを直流遮断器１による電流遮断よりも前とし、当該遮断よりも前に電圧源回路Ｂを直流遮断器１に接続するようにしたが、電流遮断時に、事故電流相当の電流と、事故電流遮断に伴う電圧相当の所定の回復電圧とが直流遮断器１に与えられれば良く、電圧源回路Ｂの直流遮断器１への接続タイミングを当該遮断と同時としても良い。このようにしても電流遮断時に、事故電流相当の電流と、事故電流遮断に伴う電圧相当の所定の回復電圧を与えることができる。
【００３９】
（２）上記の第１の試験方法では、直流遮断器１への事故電流相当の電流を、２つの電流源回路Ａ、電圧源回路Ｂを重畳させることによって供給するようにしたが、電流源回路Ａのみで供給するようにしても良い。この場合、電圧源回路Ｂの直流遮断器１への接続は、電流遮断と同時に行う。
【００４０】
（３）上記の第１の試験方法では、始動スイッチ１１の投入タイミングを、単に、直流遮断器１による電流遮断よりも前としたが、本実施形態のように電圧源回路Ｂの電圧源がコンデンサで構成される場合、直流遮断器１による電流遮断直前とすると良い。すなわち、このような場合、図３に示すように、電圧源回路Ｂの電圧はコンデンサの放電により低下していく。そのため、電流遮断よりかなり早い段階で始動スイッチ１１を投入した場合には、電流遮断時に所定の回復電圧が印加できない虞がある。そのため、始動スイッチ１１の投入、すなわち電圧源回路Ｂの直流遮断器１の接続は、電流遮断直前とする。ここにいう電流遮断直前とは、電圧源回路Ｂにより、電流遮断時において、事故電流遮断に伴う電圧相当の所定の回復電圧が直流遮断器１に印加できるタイミングをいう。
【００４１】
(2)遮断後の遮断性能を検証するための第２の試験方法
次に、第２の試験方法、すなわち事故電流相当の電流遮断後における直流遮断器１の遮断性能を検証するための試験方法について説明する。図４は、図１に示した試験装置のうち、電圧源回路Ｂのリアクトル１２、コンデンサ１４を除いた試験装置の回路図である。第２の試験方法では、当該試験装置を用いる。電圧源回路Ｂは、リアクトル１２、コンデンサ１４を除いているため、直流遮断器１に印加する電圧は直流電圧である。図５は、第２の試験方法の短絡電流遮断を行う過程における電流波形図である。図６は、第２の試験方法の短絡電流遮断を行う過程における電圧波形図である。
【００４２】
試験開始時には、直流遮断器１が試験装置に接続され、保護遮断器３及び補助遮断器８は閉路状態、投入スイッチ４及び始動スイッチ１１は開路状態、短絡発電機２は予め所定の電圧での励磁状態、電圧源コンデンサ１０は充電装置９によって予め所定の電圧まで充電された状態にあるとする。
【００４３】
まず、図５に示すように、時刻Ｄにおいて投入スイッチ４を閉路し、短絡発電機２から直流遮断器１の遮断部１０１に交流電流を供給する。この交流電流は、リアクトル５によりその大きさが調整されており、事故電流１９として遮断部１０１に供給される。なお、図６に示すように、投入スイッチ４を閉路にしても、電圧源回路Ｂは、直流遮断器１に接続されていないので、電圧源コンデンサ１０の電圧１８は一定に保たれたままである。
【００４４】
次に、図５、６に示す時刻Ｅにおいて、直流遮断器１が電流１９を遮断する。すなわち、電流１９が直流系統の系統事故による事故電流相当の電流に達した時点で遮断部１０１を開路にして電流裁断し、電流１９を遮断する。
【００４５】
電流１９が遮断されると、リアクトル５、抵抗６、コンデンサ７によって決まる周波数の回復電圧２１が直流遮断器１に印加され、サージアブソーバ１０２が過電圧を吸収し、図５に示すように、サージアブソーバ１０２には、短絡発電機２から供給される電流がサージアブソーバ電流２０となって流れる。サージアブソーバ電流２０が流れている間は、図６に示すように、回復電圧２１は、徐々に低下する。
【００４６】
回復電圧２１の印加後、電流源回路Ｂの直流遮断器１への接続が継続されている。この回復電圧２１の印加後、サージアブソーバ電流２０が流れている時刻Ｆにおいて、始動スイッチ１１を投入し、補助遮断器８を開路にして電流裁断する。そうすると、直流遮断器１には、電圧源コンデンサ１０に蓄えられていた電圧源コンデンサ電圧２２相当の直流電圧が印加される。
【００４７】
このように、電圧源回路Ｂを用いて直流遮断器１に電圧を印加するタイミングを、事故電流相当の電流遮断後の回復電圧が印加されるまで遅らせているので、直流遮断器１の回復電圧を補償することができる。
【００４８】
より詳細には、電圧源回路Ｂからの直流電圧の印加を、電流遮断より後で、かつ、直流遮断器１の遮断部１０１に印加される回復電圧が直流系統事故相当に加わる電圧相当未満となる前とする。これにより、直流遮断器１の事故電流遮断後の耐電圧性能を検証することが可能となる。なお、図６に示すように、本実施形態では、時刻Ｆのタイミングで回復電圧２１が急落しているが、その理由は、リアクトル５に蓄積されたエネルギーが全て放出されたことによる。
【００４９】
［１−４．効果］
（１）本実施形態の直流遮断器の試験方法は、電流源回路Ａと電圧源回路Ｂとを備える試験装置を用いて遮断性能を検証するための直流遮断器１の試験方法であって、直流遮断器１に、少なくとも電流源回路Ａから交流の電流を供給し、当該電流が直流系統の系統事故による事故電流相当となった時点で、直流遮断器１により当該電流を遮断し、前記遮断以前に、電圧源回路Ｂを直流遮断器１に接続することにより直流遮断器１に電圧を印加し、前記遮断と同時に電圧源回路Ｂから回復電圧を印加するようにした。
【００５０】
これにより、電流遮断時において、事故電流相当の電流と、当該事故時の電圧相当の電圧とを直流遮断器１に与えることができるので、直流遮断器１が設けられる直流系統の事故を模擬でき、直流遮断器１の遮断性能を検証することができる。また、一般的な交流遮断器の大電力試験設備を有していれば、高額で大型化する大容量の直流発電機や整流器を導入することなく直流遮断器１の遮断試験を行うことができる。特に、本実施形態では、交流遮断器の合成試験法で用いる既存の試験装置で直流遮断器１の遮断試験を行うので、設備投資や設備配置の敷地などを別途準備する必要がなく、経済的な利点が大きい。
【００５１】
（２）電流源回路Ａは、直流遮断器１に事故電流相当未満の交流電流を供給し、電圧源回路Ｂは、直流遮断器１の前記遮断前に直流遮断器１に接続することにより、電圧源回路Ｂからの電流を電流源回路Ａの電流に重畳させて、事故電流相当の電流とするとともに、直流遮断器１に電圧を印加するようにした。
【００５２】
これにより、事故電流相当の電流の遮断と同時に、直流遮断器１に回復電圧を遅滞なく印加することができる。すなわち、直流遮断器１による遮断が、半導体遮断器のような瞬間的に遮断可能な遮断器でなされる場合には、電圧源回路Ｂの直流遮断器１への接続を電流遮断時に行おうとしても当該遮断時点から遅れ、電流遮断と回復電圧印加に時間差が生じる可能性がある。しかし、本試験方法によれば、電流遮断より前に予め電圧源回路Ｂを接続し、電圧印加するようにしているので、電流遮断により、事故電流相当の電流に達する時点と、電圧源回路Ｂにより回復電圧を印加する時点を自動的に揃えることができる。従って、遮断と同時に遅滞なく回復電圧を印加することができる。
【００５３】
さらに、電圧源回路Ｂから電流が重畳的に供給されるため、その分電流源回路Ａが供給する電流は小さくて済む。そのため、電圧源回路Ｂを電流遮断と同時に直流遮断器１に接続する場合と比べて、電流源回路Ａに用いる短絡発電機２として大電流を供給するものが必要なくなる。その結果、試験装置の設備使用や回路設計のバリエーションを増やすことができる利点がある。
【００５４】
（３）電圧源回路Ｂは、電圧源となる電圧源コンデンサ１０を有し、電圧源回路Ｂの直流遮断器１への接続は、事故電流相当に達する時点での遮断の直前とした。これにより、より確実に電流遮断時に所定の回復電圧を印加することができる。すなわち、電圧源がコンデンサである場合、電圧源回路Ｂの接続経過に伴って放電されるため、電圧が低下する。そのため、電流遮断よりもかなり早い段階で電圧源回路Ｂを直流遮断器１に接続すると、電流遮断時において、遮断性能を検証するための所定の回復電圧が印加できない虞がある。そこで、これを回避するために、事故電流相当に達する直前にしたので、より確実に電流遮断時に所定の回復電圧を印加することができる。
【００５５】
（４）電圧源回路Ｂからの回復電圧の印加において、その過電圧が直流遮断器１に並列に設けられたサージアブソーバ１０２に吸収されるようにした。これにより、直流遮断器１の遮断部１０１に過電圧が加わることを抑制し、所定の回復電圧を印加しやすくすることができる。
【００５６】
（５）本実施形態の直流遮断器１の遮断試験方法は、電流源回路Ａと電圧源回路Ｂとを備える試験装置を用いて遮断性能を検証するための直流遮断器の試験方法であって、直流遮断器１に電流源回路Ａから、直流系統の系統事故による事故電流相当の電流を供給し、直流遮断器１により当該電流を遮断し、直流遮断器１に電流源回路Ａから回復電圧が印加され、電流源回路Ａの直流遮断器１への接続が継続されて回復電圧が印加されている間に、電圧源回路Ｂから直流遮断器１に直流電圧を印加するようにした。
【００５７】
これにより、電圧源回路Ｂからの直流電圧の印加を、回復電圧が印加されている間にするようにしたので、少なくとも電流遮断までの間は電圧源回路Ｂから直流遮断器１に電圧が印加されない。そのため、電圧源回路Ｂの電圧を維持することができ、電流遮断後に回復電圧が直流系統の事故相当の電圧未満となって遮断後の耐電圧性能が検証できないことを防止できる。換言すれば、直流遮断器１が電流源回路Ａからの事故電流を遮断完了した後の直流遮断器１の遮断部１０１の回復電圧を補償することができ、電流遮断後の耐電圧性能の検証をすることができる。
【００５８】
（５）電流源回路Ａからの回復電圧の印加において、その過電圧が直流遮断器１の遮断部１０１に並列に設けられたサージアブソーバ１０２に吸収されるようにした。これにより、直流遮断器１の遮断部１０１に過電圧が加わることを抑制し、所定の回復電圧を印加しやすくすることができる。
【００５９】
［２．その他の実施形態］
本明細書においては、本発明に係る複数の実施形態を説明したが、これらの実施形態は例として提示したものであって、発明の範囲を限定することを意図していない。以上のような実施形態は、その他の様々な形態で実施されることが可能であり、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【００６０】
他の実施形態としては、上記の遮断瞬時の試験方法や遮断後の試験方法を、作業員によれず、制御部を設けて実現しても良い。すなわち、制御部は、シーケンス管理するためのプログラムが記憶された記録媒体を有するコンピュータであり、当該プログラムを実行することで、各回路Ａ、Ｂのそれぞれの機器に所定のタイミングで接続又は遮断の指令を出力するようにしても良い。
【００６１】
第１の実施形態では、交流遮断器の合成試験法に用いる試験装置で直流遮断器の遮断性能を検証するための方法を説明したが、当該合成試験法と同等の試験装置を用いても良い。
【００６２】
サージアブソーバ１０２は、直流遮断器１の内部に設けたが、遮断部１０１と並列に設けるのであれば、直流遮断器１の外部に設けるようにしても良い。
【符号の説明】
【００６３】
１                  直流遮断器
１０１              遮断部
１０２              サージアブソーバ
Ａ                  電流源回路
２                  短絡発電機
３                  保護遮断器
４                  投入スイッチ
５                  リアクトル
６                  抵抗
７                  コンデンサ
８                  補助遮断器
４１                サージ吸収部
Ｂ                  電圧源回路
９                  充電装置
１０                電圧源コンデンサ
１１                始動スイッチ
１２                リアクトル
１３                抵抗
１４                コンデンサ
１５、１９          電流
１６、２０          サージアブソーバ電流
１７、２１          回復電圧
１８、２２          電圧源コンデンサ電圧
【図１】
0006645758.tif 000002
【図２】
0006645758.tif 000003
【図３】
0006645758.tif 000004
【図４】
0006645758.tif 000005
【図５】
0006645758.tif 000006
【図６】
0006645758.tif 000007